(57)【要約】      （修正有）【課題】収納箱に切刃を取り付けずに、周知と同様に収納箱から引き出されたシート状物を切断することができ、しかも、複数の収納箱に対して繰り返し使用することが可能で、さらには、構造がシンプルでありながら収納箱への装着状態では不用意に取り外れることがない係止構造を備えている収納箱用の付属装置を提供する。【解決手段】収納箱Ａの連設コーナー部に沿って長辺方向に着脱可能に取り付けられる刃部保持体８の外面縁の長辺方向に沿って、収納箱Ａから引き出されたラップフィルム１を切断するための切刃９を備えている。刃部保持体８は、収納箱Ａの少なくとも２面の壁面に沿わせてあてがわれる側面視で略Ｌ字形状に形成され、かつ、２面の壁面に開口されている係止スリット６に抜き差し係脱自在に係止させる係止突片１０，１１を備えていることにある。【選択図】図１
2010042844.tif 000002
【特許請求の範囲】
【請求項１】
箱外に引き出されて切断されるシート状物のロール体を収納する収納箱に着脱可能に装着される付属装置であって、
前記収納箱の外側角部に沿って長辺方向に着脱可能に取り付けられる刃部保持体と、
この刃部保持体の外面縁の長辺方向に沿って固着され、前記収納箱内から引き出された前記シート状物を切断する切刃と、を備え、
前記刃部保持体は、側面視で略正四角形状を呈している前記収納箱の四面壁面のうち、少なくとも２面の壁面に沿わせてあてがう側面視で略Ｌ字形状に形成され、かつ、前記２面の壁面に係脱自在に係止される係止手段を備えていることを特徴とする収納箱用付属装置。
【請求項２】
前記係止手段は、前記収納箱の前記２面の壁面において、該収納箱の長辺方向に長くそれぞれ設けられている係止スリットに対し、抜き差し係脱自在に係止される係止突片であることを特徴とする請求項１に記載の収納箱用付属具。
【請求項３】
前記係止スリットは、前記２面の壁面のうち、一方の壁面に対する開口位置が、もう一方の壁面に対する開口位置よりも前記収納箱の長辺方向に位置ズレして開口され、前記一方の壁面の前記係止スリットに係止される前記係止突片の突出基部には、前記位置ズレに相当する長さにて前記係止スリットの開口縁を跨いで壁面を挟み込むように開口されている係止凹部が設けられていることを特徴とする請求項１または請求項２に記載の収納箱用付属装置。
【発明の詳細な説明】
【技術分野】
【０００１】
本発明は、食品包装用のラップフィルム、アルミホイル、クッキングペーパなどのシート状物のロール体を収納する収納箱に着脱可能に装着されて用いられる付属装置に係り、特に、箱外に必要な長さだけ引き出されたシート状物を切断するための切刃を備えている付属装置に関する。
【背景技術】
【０００２】
例えば、ロール状に巻かれているラップフィルムを収納する収納箱としては種々の構造形態のものが提案されている(例えば、特許文献１および特許文献２などを参照)。
従来から知られている一般的な収納箱は、例えば、特許文献１に開示されているように、ロール状に巻かれているラップフィルムのロール体が収納される側面視で略正四角形状で横長の略角型筒状（角型柱状）に形成されている。そして、四面一側に設けられている開口部から、必要な長さだけ引き出されたラップフィルムが、開口部を開閉する蓋体などに備えられている金属製の切刃（切断刃）によって切断されることにより、必要とする長さのラップフィルムが繰り返し供給されるように構成されている。
【０００３】
ところで、近年では、ゴミの分別廃棄が広くいきわたっており、その一環として、使用済みの収納箱は、金属製の切刃を紙製の収納箱から取り外して分別廃棄することが望まれている。
【特許文献１】特開２０００−１９０９５７号公報
【特許文献２】特開２００８−１５０１０７号公報
【発明の開示】
【発明が解決しようとする課題】
【０００４】
しかし、切刃は、収納箱に対し、切刃側に設けられている爪による突き刺し折り曲げなどによって頑丈に取り付けられている。しかも、切刃は、収納箱や蓋体の長辺方向の縁部からその刃先がわずかに出ているだけであるために、掴むことができず、簡単には取り外すことができない。
【０００５】
そこで、従来では、切刃の近くで収納箱自体を切り裂いたり、掴み工具などを用いて切刃の刃先を掴んで、収納箱から切刃を無理やり取り外すなどで、切刃と収納箱とを分別することが行われているが、その際に切刃が勢いよく跳ねて手を傷つけるなどの危険が伴うものとなっていた。
このように、従来では、収納箱からの切刃の取り外しが容易ではなく分別廃棄がしづらい上に、危険と伴うなどの問題があり、その対策が望まれていた。
【０００６】
そこで、本発明は、前記課題を解消するために創案されたものであり、収納箱に切刃を取り付けずに、周知と同様に収納箱から引き出されたシート状物を切断することができ、しかも、複数の収納箱に対して繰り返し使用することが可能で、さらには、構造がシンプルでありながら収納箱への装着状態では不用意に取り外れることがない係止構造を備えている収納箱用の付属装置を提供することにある。
【課題を解決するための手段】
【０００７】
前記課題を解決するために、本発明では、箱外に引き出されて切断されるシート状物のロール体を収納する収納箱に着脱可能に装着される付属装置であって、
前記収納箱の外側角部に沿って長辺方向に着脱可能に取り付けられる刃部保持体と、この刃部保持体の外面縁の長辺方向に沿って固着され、前記収納箱内から引き出された前記シート状物を切断する切刃と、を備え、前記刃部保持体は、側面視で略正四角形状を呈している前記収納箱の四面壁面のうち、少なくとも２面の壁面に沿わせてあてがう側面視で略Ｌ字形状に形成され、かつ、前記２面の壁面に係脱自在に係止される係止手段を備えていることを特徴とする。
ここで、前記係止手段は、前記収納箱の前記２面の壁面において、該収納箱の長辺方向に長くそれぞれ設けられている係止スリットに対し、抜き差し係脱自在に係止される係止突片であることが好適なものとなる。
また、前記係止スリットは、前記２面の壁面のうち、一方の壁面に対する開口位置が、もう一方の壁面に対する開口位置よりも前記収納箱の長辺方向に位置ズレして開口され、前記一方の壁面の前記係止スリットに係止される前記係止突片の突出基部には、前記位置ズレに相当する長さにて前記係止スリットの開口縁を跨いで壁面を挟み込むように開口されている係止凹部が設けられていることが好適なものとなる。
【０００８】
このような構成によれば、収納箱の四面壁面のうち、少なくとも２面にわたりあてがわれて係脱自在に装着される刃部保持体には収納箱から引き出されるシート状物を切断する切刃が取り付けられている。これにより、収納箱側への切刃は不要であるために、シート状物が無くなった使用済の収納箱をそそまま廃棄することができる。
つまり、従来品のように、面倒で危険が伴う切刃を取り外すなどの分別を行うことなく、収納箱を廃棄処理することができる。
また、収納箱側に設けられている係止スリットに対し、刃部保持体側に設けられている係止突片を差し込み係止させることで、刃部保持体を収納箱の外側に装着することができる。このとき、係止突片を係止スリットに差し込んだ後、刃部保持体を収納箱の長辺方向にずらし、収納箱の壁面を挟み込むように係止突片の基部側に設けられている係止部を係止させることで、収納箱に対し、刃部保持体をしっかりと取り付けることができる。
これにより、シート状物を切刃に当てて切断するときに、刃部保持体の長辺方向（収納箱の長手方向）に掛かる力などによって、刃部保持体が不用意に取り外れることを防ぐことができる。
【発明の効果】
【０００９】
本発明の収納箱用付属装置は、以上のように構成されていることで、収納箱に切刃を取り付けずに、周知と同様に引き出されたシート状物を刃部保持体に備えられている切刃によって切断することができる。
しかも、使用済になった収納箱を廃棄するときに、危険が伴う切刃の取り外しが不要で、さらには、消費者が日常的にシート状物を繰り返し引き出して切断するときに要求される長辺方向における捩れ力や曲げ力などの外力に対する収納箱の強度は刃部保持体によって強化されるために、使用途中で収納箱が破損することを防ぎ、新しい収納箱に対して繰り返し使用することができる。
これにより、収納箱は、材料費と製作費が掛かる金属材などからなる切刃が不要であるために、その分、安価に製作し、提供することが可能となる。
【００１０】
また、本発明では、収納箱の少なくとも２面に沿わせてあてがうように装着される刃部保持体に切刃を備えた構成であることで、構造がシンプルでありながら、少なくとも２面の壁面に設けられている係止スリットに、係止突片をそれぞれは差し込むといった簡単な操作で、収納箱に装着することができる。さらには、収納箱に装着された状態では、一方の係止突片の突出基部に設けられている係止凹部が壁面を挟み込むように係止する係止構造によって、収納箱から簡単、かつ、不用意に取り外れることがなく、切刃を備えている収納箱の同様に安全に使用することができる。
【発明を実施するための最良の形態】
【００１１】
以下、本発明の実施形態について、適宜図面を参照しながら詳細に説明する。
図１は、本実施形態に係る付属装置を収納箱に装着した状態を示す斜視図であり、図２は、同縦断側面図である。
なお、食品包装用のシート状物としては、ラップフィルム、アルミホイル、クッキングペーパなどを挙げることができるが、本実施形態については、ラップフィルムのロール体を収納する収納箱を一例に挙げて説明する。
【００１２】
≪収納箱の構成≫
収納箱Ａは、図１に示すように、厚紙などを用いて、周知のように、ラップフィルム1のロール体1ａを収容し得る大きさを有する略横長角型柱状に形成されている。
そして、収納箱Ａは、その四面一側の上面に開口部２を備えているとともに、この開口部２の開口長辺一側縁部に沿わせて連設させた蓋体３を備えている。この蓋体３には、ラップフィルム１を必要な長さだけ引き出した後に、ラップフィルム１を押えるための押え片部４が備えられている。
【００１３】
また、収納箱Ａは、図２に示すように、ラップフィルム１が引き出される方向（紙面左側）に位置する前壁面ａ１と、この前壁面ａ１に連設コーナー部５（折れ目線５ａ）を介して連設する底壁面ａ２との２面に、付属装置Ｂの後記する係止突片１０，１１を抜き差し係脱自在に差し込み係止させるための係止スリット６，７をそれぞれ備えている。
なお、この係止スリット６，７の詳細構成については、係止突片１０，１１の構成説明のときに説明する。
【００１４】
≪付属装置の構成≫
図３は、本実施形態に係る付属装置の展開状態を示す斜視図であり、図４は、同縦断側面図である。ここでは、図１および図２を適宜参照しながら説明する。
付属装置Ｂは、図１および図２に示すように、収納箱Ａの前壁面ａ１と底壁面ａ２とに沿ってあてがわれるように着脱可能に装着される刃部保持体８と、この刃部保持体５の外面縁の長辺方向に沿って固着され、収納箱Ａ内から箱外に引き出されたラップフィルム１を切断する鋸刃状の金属製切刃９とを備えて構成されている。
【００１５】
≪刃部保持体の構成≫
刃部保持体８は、後記する図６に示すように、収納箱Ａから引き出されたラップフィルム１にテンションを掛けつつ切刃９に当てて切断するときに、収納箱Ａの長辺方向、特に、切刃９が固着される前壁面ａ１と底壁面ａ２との連設コーナー部５の長手方向に掛かる捩れ力や曲げ力などによって収納箱Ａが損傷しないように、前壁面ａ１と底壁面ａ２とを含めた連設コーナー部の強度（方形保持力）を強化する厚紙やその他の紙材、例えば、コートボール紙などからなる厚紙を用いて形成されている。
【００１６】
この刃部保持体８は、一枚のコートボール紙などからなる厚紙を用いた打ち抜き裁断加工などによって形成されるものであり、図１に示すように、収納箱Ａの長辺方向と同じ長さで、収納箱Ａの前壁面ａ１と底壁面ａ２とのそれぞれの短辺方向（収納箱Ａの壁面幅方向）の半分程度の幅を有する前面当接辺部８ａと底面当接辺部８ｂとから側面視で略Ｌ字形状に折り曲げ形成されるようになっている。
そして、刃部保持体８は、図３および図４に示すように、前面当接辺部８ａと底面当接辺部８ｂとの長辺開放縁部に、係止手段としての係止突片１０，１１をそれぞれ長手方向に並列的に備えている。
【００１７】
≪係止突片の構成≫
係止突片１０，１１は、収納箱Ａの前壁面ａ１と底壁面ａ２とにそれぞれ設けられている係止スリット６，７に対する差し込み係止によって刃部保持体８を、図２に示すように、収納箱の前壁面ａ１と底壁面ａ２にあてがうように装着するものである。
この係止突片１０，１１は、図３に示すように、前面当接辺部８ａと底面当接辺部８ｂとのそれぞれの長辺開放縁部における長辺方向の２ヶ所において、所望の突出幅と突出高さにて長辺開放縁部から延設されてそれぞれ形成されている。
そして、係止突片１０，１１のうち、係止突片１１側の一側突出基部には、図３および図４に示すように、係止凹部１２が設けられている。
【００１８】
≪係止凹部の構成≫
係止凹部１２は、図２の拡大断面図および後記の図５の（ａ）に示すように、係止スリット７の開口縁を跨いで収納箱Ａの底壁面ａ２に引っ掛けられることで、係止突片７が係止スリットから不用意に抜け外れないように係止する。
つまり、図４に示すように、収納箱Ａの前壁面ａ１の長手方向に並列状に開口されている２ヶ所の係止スリット６の開口位置よりも底壁面ａ２の長手方向に並列状に開口される２ヶ所の係止スリット７は、寸法Ｌ１分、収納箱Ａの長手方向（紙面左方向）に位置ズレされて開口されている。
そして、係止凹部１２は、係止スリット７の収納箱Ａの長手方向への位置ズレに相当する長さ寸法Ｌ２にて係止突片７側の一側突出基部から長手方向に形成されている。
これにより、図５の（ａ）に示すように、係止突片７を係止スリット１１に差し込んだ付属装置Ｂ（刃部保持体８）の二点鎖線の状態から、係止凹部１２の長さ寸法Ｌ２にて刃部保持体８を収納箱Ａの長辺方向（紙面右側方向）に移動させることで、係止凹部１２は、図２の拡大断面図に示すように、底壁面ａ２を挟み込むように該底壁面ａ２に係止され、この状態で、図５の（ｂ）に示すように、係止突片６を係止スリット１０に対して差し込み係止することができるようにしている。
つまり、係止突片６を係止スリット１０から引き抜いて、刃部保持体８を、図５の（ａ）の実線の位置から二点鎖線の位置に戻すように、刃部保持体８を収納箱Ａの長辺方向（紙面左側方向）に移動させない限り、係止スリット１１から係止突片７は抜けない。換言すれば、収納箱Ａに装着された付属装置Ｂが不用意に取り外れることを、底壁面ａ２に対する係止凹部１２の係止構造によって確実に防ぐことができる。
【００１９】
[作用説明]
つぎに、以上のように構成されている本実施形態に係る付属装置Ｂの使用法について簡単に説明する。
図５は、付属装置を収納箱に装着するときの手順を示す斜視図および縦断側面図である。図６は、収納箱から引き出されたラップフィルムを切断するときの状態を示す縦断側面図である。ここでは、図３および図４を適宜参照しながら説明する。
購入した付属装置Ｂを切刃無しの収納箱Ａに装着するときには、まず、図３に示すように展開された状態で図示省略のパッケージに収納されている付属装置Ｂを、パッケージから取り出した後に、図４に示すように、折れ目線５ａから刃部保持体８を略Ｌ字形状に折り曲げる。
つぎに、図５の（ａ）に示すように、まず初めに、収納箱Ａを裏返しにした状態で、収納箱Ａの底壁面ａ２に開口されている係止スリット７に対し、刃部保持体８の前面当接辺部８ａ側に設けられている係止突片１１を差し込み、該係止突片１１の係止凹部１２が、係止スリット７の開口縁を跨いで底壁面ａ２を挟み込むように、刃部保持体８を矢印Ｍ方向に移動させる。これにより、底面当接辺部８ｂ側に設けられている係止突片１０を、収納箱Ａの前壁面ａ１に開口されている係止スリット６に対して差し込み可能となる。
そして、刃部保持体８を矢印Ｎ方向に回し、図５の（ｂ）に示すように、係止突片１０を係止スリット６に差し込み係止させる。これにより、付属装置Ｂを収納箱Ａに装着することができる。
【００２０】
そして、使用するときには、付属装置Ｂとともに収納箱Ａを一方の手で掴み、図６に示すように、収納箱Ａから引き出されたラップフィルム１を収納箱Ａの蓋体３に備えられている押え片部４で押え、もう一方の手で引き出されたラップフィルム１の端部分を摘み、ラップフィルム１にテンションを掛けつつ切刃９に押し当てる。このとき、ラップフィルム１を刃部保持体８に備えられている切刃９に当てて切断することから、このときに収納箱Ａの長辺方向に生じる捩れ作用や曲げ作用による外力は刃部保持体８によって受け止められ、収納箱Ａ側には一切掛からない。これにより、周知と同様に、必要な長さのラップフィルム１を切断することができる（図６の二点鎖線の状態）。
【００２１】
そして、ラップフィルム１が無くなり、付属装置Ｂが装着されている切刃無しの収納箱Ａが使用済みとなった場合には、使用済み収納箱Ａから付属装置Ｂを取り外し、新しい収納箱Ａに入れ替えることで、付属装置Ｂを継続して使用することができる。
【００２２】
[他の実施形態の説明]
図７は、他の実施形態に係る付属装置を収納箱に装着した状態を示す縦断側面図である。
なお、この他の実施形態では、図７に示すように、付属装置Ｂ−１を構成する刃部保持体８−１の側面形状を、収納箱Ａの前壁面ａ１、底壁面ａ２、後壁面ａ３との３面にわたりあてがわれる側面視で上向きの略コの字形状に形成してなるものである。それ以外の構成要素において前記した第１の実施形態と基本的に同じことから、同じ構成要素に同じ符号を付することで重複説明は省略する。
【００２３】
すなわち、図７に示すように、刃部保持体８−１は、収納箱Ａの前壁面ａ１の下半部側にあてがわれる前面当接辺部８ａと、底壁面ａ２の全面にあてがわれる底面当接辺部８ｂと、後壁面ａ３の下半部側にあてがわれる後面当接辺部８ｃ側面視で上向きの略コの字形状に折り曲げ形成されるようになっている。
この場合、係止突片７は、後面当接辺部の長辺開放縁部に、前記の実施形態と同様に形成する一方、この係止突片を差し込み係止させる係止スリット７は、図７に示すように、収納箱の後壁面に、前記の実施形態と同様に開口するものである。
【００２４】
このように、刃部保持体８−１が側面視で上向きの略コの字形状に形成されている付属装置Ｂ−１によれば、ラップフィルム１を切断するときに、収納箱Ａの長辺方向に生じる捩れ作用や曲げ作用などの外力は刃部保持体８−１によってより効果的に受け止められるために、収納箱Ａを外力から保護することができる。つまり、ラップフィルム１を使い切る前に収納箱Ａが破損することなどを防ぐことができる。
【００２５】
なお、本発明の実施形態の具体的な構成は、前記した各実施形態に限られるものではなく、請求項１から請求項３に記載の本発明の要旨を逸脱しない範囲で設計変更などがあっても本発明に含まれるものである。
例えば、係止スリット６，７の収納箱Ａの長辺方向への位置ズレを、前記実施形態とは逆の形態として、係止スリット６に差し込み係止される係止突片１０側に係止凹部１２を設けることができる。
【００２６】
また、刃部保持体８，８−１は、厚紙以外の他の材料、例えば、合成樹脂材などからなる板材などを用いて一体または折り曲げ可能に形成することができる。
【図面の簡単な説明】
【００２７】
【図１】本実施形態に係る付属装置を収納箱に装着した状態を示す斜視図である。
【図２】同縦断側面図である。
【図３】同付属装置の刃部保持体の展開状態を示す斜視図である。
【図４】同付属装置の刃部保持体の一方の係止突片側に設けられる係止凹部の開口長さと収納箱の２面に設けられる係止スリットの開口位置関係を説明する斜視図である。
【図５】同付属装置を収納箱に装着するときの手順を示し、（ａ）は、刃部保持体の一方の係止突片を収納箱の底壁面の係止スリットに差し込み、刃部保持体を収納箱の長手方向に移動させて係止凹部を底壁面に噛み合わせるように係止させた状態を示す斜視図であり、（ｂ）は、もう一方の係止突片側を収納箱の前壁面の係止スリットに差し込み係止させるときの状態を示す縦断側面図である。
【図６】収納箱から引き出されたラップフィルムを切断するときの状態を示す縦断側面図である。
【図７】他の実施形態の係る付属装置を収納箱に装着した状態を示す縦断側面図である。
【符号の説明】
【００２８】
Ａ      収納箱
Ｂ，Ｂ−１  付属装置
１      ラップフィルム（シート状物）
１ａ    ロール体
２      開口部（収納箱）
３      蓋体
４      押え片部
５      連設コーナー部（外側角部）
６，７  係止スリット
８，８−１  刃部保持体
９      切刃
１０，１１  係止突片（係止手段）
１２    係止凹部
【図１】
2010042844.tif 000003
【図２】
2010042844.tif 000004
【図３】
2010042844.tif 000005
【図４】
2010042844.tif 000006
【図５】
2010042844.tif 000007
【図６】
2010042844.tif 000008
【図７】
2010042844.tif 000009